(57)【要約】  本発明は、レーザーパッチに関し、本発明の実施例によるレーザーパッチは、レーザーの透過のための透過ホールを有するパッチ胴体と、パッチ胴体の内部に配置された回路基板と、パッチ胴体の内部で回路基板と対向するように配置された内蔵バッテリーと、回路基板に電気的に連結され、内蔵バッテリーからの自体電力としてパッチ胴体の外部に低出力レーザーを照射させるレーザーダイオード素子と、内蔵バッテリーに対して外部充電器からの選択的電気供給のために前記パッチ胴体に設けられた充電端子とを含む。【選択図】図３
2019504692.tif 000002
【特許請求の範囲】
【請求項１】
レーザーの透過のための透過ホールを有するパッチ胴体と；
前記パッチ胴体の内部に配置された回路基板と；
前記パッチ胴体の内部で、前記回路基板と対向するように配置された内蔵バッテリーと；
前記回路基板に電気的に連結され、前記内蔵バッテリーからの自体電力として前記パッチ胴体の外部に低出力レーザー（Ｌｏｗ  Ｌｅｖｅｌ  Ｌａｓｅｒ）を照射させるレーザーダイオード素子（Ｌａｓｅｒ  Ｄｉｏｄｅ  Ｄｅｖｉｃｅ）と；
前記内蔵バッテリーに対して外部充電器からの選択的電気供給のために、前記パッチ胴体に設けられた充電端子と；を含むレーザーパッチ。
【請求項２】
前記レーザーダイオード素子は、施術対象者の痛みの緩和、血流改善、細胞活性化、細胞再生、リンパ節刺激、および浮腫緩和のうち少なくともいずれか一つの使用目的を有する６３０ｎｍ〜６８０ｎｍまたは７８０ｎｍ〜９９０ｎｍの波長範囲を有する赤色の低出力レーザーを照射する、請求項１に記載のレーザーパッチ。
【請求項３】
前記パッチ胴体に設けられ、前記パッチ胴体の皮膚接触可否を感知する接触感知センサーと；
前記接触感知センサーから接触感知信号を伝達されて、前記パッチ胴体が前記皮膚に接触した場合にのみ、前記低出力レーザー素子を動作させる制御器と；をさらに含む、請求項１に記載のレーザーパッチ。
【請求項４】
前記パッチ胴体に設けられ、前記パッチ胴体の温度を測定する温度感知センサーと；
前記温度感知センサーから温度感知信号を伝達されて、前記パッチ胴体の温度が既定の温度範囲を外れる場合、前記低出力レーザー素子のレーザー照射を中断させる制御器と；をさらに含む、請求項１に記載のレーザーパッチ。
【請求項５】
痛みの緩和、血流改善、細胞活性化、細胞再生、リンパ節刺激、および浮腫緩和のうち少なくともいずれか一つの使用目的を有する低出力レーザーパッチであって、
レーザーの透過のための透過ホールを有する板（ｐｌａｔｅ）形状のパッチ胴体と；
前記パッチ胴体の内部に配置された回路基板と；
前記パッチ胴体の内部に配置された内蔵バッテリーと；
前記回路基板に電気的に連結され、前記内蔵バッテリーから電力を供給されて、前記パッチ胴体の外部に低出力レーザー（Ｌｏｗ  Ｌｅｖｅｌ  Ｌａｓｅｒ）を照射させるレーザーダイオード素子（Ｌａｓｅｒ  Ｄｉｏｄｅ  Ｄｅｖｉｃｅ）と；を含み、
前記レーザーダイオード素子は、
６３０ｎｍ〜６８０ｎｍの波長帯の波長範囲を有する低出力レーザーを照射させる第１素子と；
７８０ｎｍ〜９９０ｎｍの波長帯の波長範囲を有する低出力レーザーを照射させる第２素子と；を含むレーザーパッチ。
【請求項６】
前記第２素子は、少なくとも一つが前記パッチ胴体の中央領域に配置され、
前記第１素子は、複数個が前記パッチ胴体の周辺領域に配置される、請求項５に記載のレーザーパッチ。
【請求項７】
繰り返して充電が可能な内蔵バッテリーを具備し、前記内蔵バッテリーの自体電力として低出力レーザーを照射させるレーザーパッチと；
前記レーザーパッチと通信技術にて連結され、ユーザに前記レーザーパッチの使用情報を案内するためのアプリケーションが搭載されたユーザ端末と；を含むレーザーパッチ施術セット。
【請求項８】
前記ユーザ端末は、前記アプリケーションを介して低出力レーザーを利用した施術情報データに基づいて施術プログラムを前記レーザーパッチユーザに視覚的または聴覚的に通知する、請求項７に記載のレーザーパッチ施術セット。
【請求項９】
前記ユーザ端末は、前記アプリケーションを介して施術情報データを前記レーザーパッチユーザに通知し、
前記施術情報データは、前記ユーザの事前入力情報に基づいて選択された痛みの緩和、血流改善、細胞活性化、細胞再生、リンパ節刺激、および浮腫緩和のうち少なくともいずれか一つの施術ガイドを含む、請求項７に記載のレーザーパッチ施術セット。
【請求項１０】
前記レーザーパッチは、複数個が提供され、
前記ユーザ端末は、前記アプリケーションを介して施術情報データを前記レーザーパッチユーザに通知し、
前記施術情報データは、前記ユーザの事前入力情報に基づいて選択された施術ガイドを用いて前記レーザーパッチに対して施術順序および位置を設定し、ユーザが設定された施術順序と位置に合致するように順次にレーザーパッチをユーザの設定位置に位置するようにする痛みの緩和、血流改善、細胞活性化、細胞再生、リンパ節刺激、および浮腫緩和のうち少なくとも一つの使用目的を有する施術ガイドを含む、請求項７に記載のレーザーパッチ施術セット。
【請求項１１】
前記レーザーパッチは、
レーザーの透過のための透過ホールを有する板（ｐｌａｔｅ）形状のパッチ胴体と；
前記パッチ胴体の内部に配置された回路基板と；
前記回路基板に電気的に連結され、前記内蔵バッテリーから電力を供給されて、前記パッチ胴体の外部に低出力レーザーを照射させるレーザーダイオード素子と；を含む、請求項７に記載のレーザーパッチ施術セット。
【請求項１２】
前記レーザーパッチは、
レーザーの透過のための透過ホールを有する板形状のパッチ胴体と；
前記内蔵バッテリーから電力を供給されて、前記パッチ胴体の外部に低出力レーザーを照射させるレーザーダイオード素子と；
施術時に前記パッチ胴体の皮膚接触面に付着し、前記パッチ胴体が前記ユーザの皮膚から分離することを防止するためのパッチバンドと；を含む、請求項７に記載のレーザーパッチ施術セット。
【発明の詳細な説明】
【技術分野】
【０００１】
本発明は、レーザーパッチおよびこれを具備するレーザーパッチ施術セットに関し、より具体的には、内蔵バッテリーを具備して充電を介した再使用が可能であり、相対的に小さくて且つ薄い板形状で提供することにより、複数の局所部位に組み合わせて選択的に使用できるように構成されたレーザーパッチおよびこれを具備するレーザーパッチ施術セットに関する。
【背景技術】
【０００２】
一般的に、湿布剤または鎮痛パッチと呼ばれる外用剤は、人体に付着して患部の痛みの緩和を目的とする医薬品である。湿布剤は、接着液が混合された湿布薬が塗布されたバンド形態からなり、使用時に患部に付着させて使用する。湿布剤は、塗布された湿布薬の成分や種類による温湿布用または冷湿布用などがあり、最近では、より高い血流改善効果のために磁石や鍼などを中央に配置させた形態も市販されている。
【０００３】
しかし、前記のような湿布剤は、塗布された接着液や湿布薬、付着時に空気循環の不十分などによる皮膚トラブル、大小の火傷、皮膚発疹とただれなどの副作用が発生する。特に、先天的に皮膚が弱い人や子供には、このような副作用に起因して使用が困難であるという問題がある。また、一般的な湿布剤は、根本的な治療でなく、制限的な効果だけであり、大部分が１回用で使用した後に捨てられるので、長期使用時に費用的負担と共に環境にやさしくないという短所がある。
【０００４】
一方、低出力レーザー（ｌｏｗ  ｌｅｖｅｌ  ｌａｓｅｒ、ＬＬＬ）は、特定の波長の範囲によって、痛みの緩和、血流改善、血流強化、皮膚再生、細胞活性化、脂肪分解、および細胞刺激などの多様な効果があると様々な臨床資料を介して知られている。特に、皮膚組織の破壊、意図的損傷または壊死の目的で使用される高出力レーザーに比べて、低出力レーザーは、相対的に安全ながらも、新陳代謝の促進と細胞の活性化、および免疫力の上昇の効果を有していて、損傷した細胞組織を回復させる機能を有している。特に、特定の波長帯の低出力レーザーを経穴に選択的に照射すると、鍼または灸治療と同じ効果を発揮して、皮膚や筋肉の痛みを緩和させ、患部の完治を促進させる機能をすると知られている。
【発明の概要】
【発明が解決しようとする課題】
【０００５】
本発明が解決しようとする課題は、従来の湿布剤が有する皮膚発疹、アレルギー発生、火傷などのような皮膚トラブル問題がなく、且つ高い施術効果を有する低出力レーザー光源を利用したレーザーパッチおよびこれを具備するレーザーパッチ施術セットを提供することにある。
【０００６】
本発明が解決しようとする課題は、局所部位に施術可能に相対的に小さいサイズの薄い板状パッチでパッチ構造を構成して、ユーザが必要な施術の種類と所望の局所部位に合致するようにレーザーパッチを組み合わせて使用できるように製作されたレーザーパッチおよびこれを具備するレーザーパッチ施術セットを提供することにある。
【０００７】
本発明が解決しようとする課題は、電気充電を介して繰り返して使用が可能に内蔵バッテリーが適用されたレーザーパッチを具備して、従来の湿布剤や鎮痛パッチに比べて、ユーザが長時間追加費用の負担なく同じ効果にて自家施術を受けることができ、資源の浪費を防止して、環境にやさしいレーザーパッチおよびこれを具備するレーザーパッチ施術セットを提供することにある。
【０００８】
本発明が解決しようとする課題は、ユーザに正確な漢方治療である鍼または灸施術を案内するアプリケーションが搭載されたユーザ端末と連携するように構成して、漢方治療に関する知識がないかまたは足りない一般ユーザも、漢方施術を簡便且つ正確に自家施術することができるようにするレーザーパッチおよびこれを具備するレーザーパッチ施術セットを提供することにある。
【課題を解決するための手段】
【０００９】
本発明によるレーザーパッチは、レーザーの透過のための透過ホールを有するパッチ胴体と、前記パッチ胴体の内部に配置された回路基板と、前記パッチ胴体の内部で前記回路基板と対向するように配置された内蔵バッテリーと、前記回路基板に電気的に連結され、前記内蔵バッテリーからの自体電力として前記パッチ胴体の外部に低出力レーザー（Ｌｏｗ  Ｌｅｖｅｌ  Ｌａｓｅｒ）を照射させるレーザーダイオード素子（Ｌａｓｅｒ  Ｄｉｏｄｅ  Ｄｅｖｉｃｅ）と、前記内蔵バッテリーに対して外部充電器からの選択的電気供給のために、前記パッチ胴体に設けられた充電端子とを含む。
【００１０】
本発明によるレーザーパッチは、痛みの緩和、血流改善、細胞活性化、細胞再生、リンパ節刺激、および浮腫緩和のうち少なくともいずれか一つの使用目的を有する低出力レーザーパッチであって、レーザーの透過のための透過ホールを有する板（ｐｌａｔｅ）形状のパッチ胴体と、前記パッチ胴体の内部に配置された回路基板と、前記パッチ胴体の内部に配置された内蔵バッテリーと、前記回路基板に電気的に連結され、前記内蔵バッテリーから電力を供給されて、前記パッチ胴体の外部に低出力レーザー（Ｌｏｗ  Ｌｅｖｅｌ  Ｌａｓｅｒ）を照射させるレーザーダイオード素子（Ｌａｓｅｒ  Ｄｉｏｄｅ  Ｄｅｖｉｃｅ）とを含み、前記レーザーダイオード素子は、６３０ｎｍ〜６８０ｎｍの波長帯の波長範囲を有する低出力レーザーを照射させる第１素子と、７８０ｎｍ〜９９０ｎｍの波長帯の波長範囲を有する低出力レーザーを照射させる第２素子とを含む。
【００１１】
本発明によるレーザーパッチ施術セットは、繰り返して充電が可能な内蔵バッテリーを具備して前記内蔵バッテリーの自体電力として低出力レーザーを照射させるレーザーパッチと、前記レーザーパッチと通信技術にて連結され、ユーザに前記レーザーパッチの使用情報を案内するためのアプリケーションが搭載されたユーザ端末とを含む。
【発明の効果】
【００１２】
本発明によるレーザーパッチおよびこれを具備するレーザーパッチ施術セットは、局所部位に施術可能に相対的に小さいサイズの板状レーザーパッチで構成して、ユーザが必要な施術の種類と所望の局所部位に合致するようにパッチを組み合わせて使用できる。
【００１３】
本発明の実施例によるレーザーパッチおよびこれを具備するレーザーパッチ施術セットは、従来の湿布剤や鎮痛パッチに比べて、皮膚発疹、アレルギー発生、火傷などのような皮膚トラブルなどのような接着剤と湿布剤に起因して発生する問題なく、痛みの緩和、血流改善、血流強化、皮膚再生、細胞活性化、脂肪分解、および細胞刺激などの施術を行うことができる。
【００１４】
本発明によるレーザーパッチおよびこれを具備するレーザーパッチ施術セットは、従来の湿布剤や鎮痛パッチに比べて、ユーザが長時間追加費用の負担なく同じ効果にて自家施術を受けることができ、資源の浪費を防止して環境にやさしい。
【００１５】
本発明によるレーザーパッチおよびこれを具備するレーザーパッチ施術セットは、レーザーパッチのユーザに正確な漢方治療である鍼または灸施術を案内するアプリケーションが搭載されたユーザ端末と連携するように構成して、漢方治療に関する知識がないかまたは足りない一般ユーザも、漢方施術を簡便且つ正確に自家施術することができる。
【図面の簡単な説明】
【００１６】
【図１】本発明の一実施例によるレーザーパッチ施術セットを示す図である。
【図２】本発明の一実施例によるレーザーパッチ施術セットのパッチバンドを説明するための図である。
【図３】本発明の一実施例によるレーザーパッチを示す斜視図である。
【図４】図３に示されたレーザーパッチの構成を示す断面図である。
【図５】本発明の一実施例による低出力レーザー施術方法を示すフローチャートである。
【図６】本発明の一変形例によるレーザーパッチを示す図である。
【図７】本発明の他の変形例によるレーザーパッチを示す図である。
【図８】本発明の他の実施例によるレーザーパッチ施術セットを示す図である。
【図９】本発明の他の実施例によるレーザーパッチ施術セットのパッチバンドを示す図である。
【図１０】本発明の他の実施例によるレーザーパッチを示す斜視図である。
【図１１】図１０に示されたレーザーパッチの他方の方向から見た斜視図である。
【図１２】本発明の他の実施例によるレーザーパッチを利用したレーザー施術方法を示すフローチャートである。
【発明を実施するための形態】
【００１７】
本発明の利点および特徴、そしてそれらを達成する方法は、添付の図面と共に詳細に後述する実施例を参照すると明確になる。しかし、本発明は、以下で開示される実施例に限定されるものではなく、互いに異なる多様な形態で具現され得る。本実施例は、本発明の開示が完全にし、本発明の属する技術分野における通常の知識を有する者に発明の範疇を完全に知らせるために提供され得る。明細書全般にわたって同一の参照符号は、同一の構成要素を指す。
【００１８】
本明細書で使用された用語は、実施例を説明するためのものであり、本発明を制限しようとするものではない。本明細書で、単数形は、文章で特に言及しない限り、複数形をも含む。明細書で使用される「含み（ｃｏｍｐｒｉｓｅ）」および／または「含む（ｃｏｍｐｒｉｓｉｎｇ）」は、言及された構成要素、段階、動作および／または素子は、一つ以上の他の構成要素、段階、動作および／または素子の存在または追加を排除しない。
【００１９】
また、本明細書で記述する実施例は、本発明の理想的な例示図である断面図および／または平面図を参考して説明される。図面において、各構成の細部のサイズ、形態、厚さ、曲率などは、技術的内容の効果的な説明のために誇張されたり図式化されたものであって、許容誤差などによってその形態が変形され得る。
【００２０】
以下、本発明の一実施形態によるレーザーパッチおよびこれを具備するレーザーパッチ施術セットについて、添付の図面を参照して具体的に説明する。
【００２１】
図１は、本発明の一実施例によるレーザーパッチ施術セットを示す図であり、図２は、本発明の一実施例によるレーザーパッチ施術セットのパッチバンドを説明するための図である。
【００２２】
図１および図２を参照すると、本発明の実施例によるレーザーパッチ施術セット１０は、パッチバンド２０、充電器３０、レーザーパッチ１００、およびこれら構成品を収納および保管するための包装ボックス（図示せず）等を含むことができる。
【００２３】
前記レーザーパッチ１００は、相対的に低い出力のレーザー、すなわち低出力レーザー（Ｌｏｗ  Ｌｅｖｅｌ  Ｌａｓｅｒ、ＬＬＬ）を皮膚に照射させる機器であり得る。一例として、前記レーザーパッチ１００は、略８０ｍＷ以下の低出力レーザーを照射させることができる。前記レーザーパッチ１００は、相対的に小さいサイズの薄い板（ｐｌａｔｅ）形状を有し得る。前記レーザーパッチ１００は、円板形、四角板形、楕円形などの多様な形状の平面を有し得る。前記レーザーパッチ１００は、複数個が一つの包装ボックス４０内に提供されて、ユーザが複数のレーザーパッチ１０を多様に組み合わせて使用するように提供され得る。
【００２４】
前記パッチバンド２０は、前記レーザーパッチ１００をユーザの所望の皮膚部位に固定させるためのものであり得る。図２（ａ）に示されたように、本発明の一実施例によるパッチバンド２０は、一つのレーザーパッチ１００を固定させるための固定部２２と、前記固定部２２と連結されたバンド部２４とからなり得る。前記バンド部２４は、レーザーパッチ１００が所望の部位に整列させながら、人体に固定させるためのものであり得る。この場合、前記固定部２２は、前記バンド部２４に形成された一つの開口として提供され、ユーザが前記レーザーパッチ１００を前記固定部２２に嵌入した後、前記バンド部２４を人体に巻いて固定させて使用できる。
【００２５】
図２（ｂ）に示されたように、本発明の他の実施例によるパッチバンド２０ａは、レーザーパッチ１００に嵌入する形態であって、一面にベルクロ（ｖｅｌｃｒｏ、登録商標）処理された固定部２２ａと、前記固定部２２ａのベルクロと脱着可能なベルクロ（ｖｅｌｃｒｏ）処理されたバンド部２４ｂとを有し得る。この場合、前記固定部２２ａが結合された前記レーザーパッチ１００をユーザの所望の部位に対応するように、所望の位置に前記固定部２２ａを前記バンド部２４ｂ上に付着させて使用するようにすることができる。
【００２６】
図２（ｃ）に示されたように、本発明のさらに他の実施例によるパッチバンド２０ｂは、レーザーパッチ１００に嵌入して使用する固定部２２ｂを具備し、前記固定部２２ｂの一面には、皮膚に接着または密着して固定可能な接着物質が塗布されていてもよい。この場合、ユーザは、前記パッチバンド２０ｂに前記レーザーパッチ１００を密着させた後、前記パッチバンド２０ｂを所望の部位に付着させて使用できる。
【００２７】
前記充電器３０は、前記レーザーパッチ１００を充電させるためのものであり得る。前記充電器３０は、複数のレーザーパッチ１００を同時充電させることができるように、前記充電器３０とは別途のまたは一体の充電ジェンダー３２を含むことができる。
【００２８】
続いて、本発明の実施例によるレーザーパッチについて詳細に説明する。ここで、前述したレーザーパッチ１００に対する重複する説明は、省略したり簡素化することができる。
【００２９】
図３は、本発明の一実施例によるレーザーパッチを示す斜視図であり、図４は、図３に示されたレーザーパッチの構成を示す断面図である。
【００３０】
図３および図４を参照すると、本発明の一実施例によるレーザーパッチ１００は、パッチ胴体１１０、回路基板１２０、内蔵バッテリー１３０、レーザー素子１４０、感知器１５０、および制御器１６０を含むことができる。
【００３１】
前記パッチ胴体１１０は、一般的に薄い板（ｐｌａｔｅ）形状を有し、前記部品１２０、１３０、１４０、１５０、１６０の保護、配置および支持などのための内部空間を提供することができる。一例として、前記パッチ胴体１１０は、相互に組み立てられて薄い板状胴体１１２を完成させる第１胴体１１２ａと第２胴体１１２ｂを有し得る。前記第１胴体１１２ａは、施術時に人体に密着する一面を有し、前記第２胴体１１２ｂは、施術時に露出する他面を有し得る。前記第１胴体１１２ａの一面には、低出力レーザーの透過のための透過ホール１１２ｃが設けられる。前記第２胴体１１２ｂは、低出力レーザーの照射時またはレーザーパッチ１００の動作時、ユーザがこれを認知することができるようにする動作ランプ１１５が設けられる。
【００３２】
一方、前記第１胴体１１２ａの前記透過ホール１１２ｃには、前記低出力レーザーの拡散のためのレンズ１１３がさらに設けられる。一例として、前記レンズ１１３は、通常レーザーが有する光の直進性を減少させて、人体の内部にさらに広い領域に拡散照射されるようにするために提供され得る。このために、前記レンズ１１３としては、凸状レンズが使用でき、これに伴い、前記透過ホール１１２ｃを通過する低出力レーザーは、前記レンズ１１３を透過した後、拡散されて、相対的に広い人体部位内に浸透することができる。この場合、相対的に広い部位に対して低出力レーザーを分散照射させることが有利な使用目的、すなわち痛みの緩和、リンパ節刺激、浮腫緩和、皮膚刺激などの目的に適合している。
【００３３】
他の例として、前記レンズ１１３は、前記低出力レーザーの直進性を維持または強化させるために提供され得る。このために、前記レンズ１１３として、凹状レンズまたは一般透過板が使用でき、これに伴い、前記透過ホール１１２ｃを通過する低出力レーザーは、前記レンズ１１３を透過した後、集中または維持されて、相対的に狭い人体部位内に浸透することができる。この場合、相対的に狭い部位に対して低出力レーザーを集中照射させることが有利な血流改善、血流強化、細胞活性化などの目的に適合している。
【００３４】
前記パッチ胴体１１０には、前記内蔵バッテリー１２０を充電させるために前記充電器３０を連結させるための充電部１１６が提供され得る。前記充電部１１６は、充電端子１１６ａおよび充電完了の可否やバッテリーの残量を認知させるための第１充電ランプ１１６ｂおよび第２充電ランプ１１６ｃを具備することができる。前記第１充電ランプ１１６ｂは、充電完了を表示する緑色ＬＥＤ素子を含み、前記第２充電ランプ１１６ｃは、充電中を表示する赤色ＬＥＤ素子を含むことができる。
【００３５】
また、前記パッチ胴体１１０には、前記レーザーパッチ１００の施術条件をセットさせるための多様な制御ボタン１１８を具備することができる。例えば、前記制御ボタン１１８は、前記低出力レーザー素子１４０のオン／オフのためのオン／オフボタン１１８ａと、前記低出力レーザー素子１４０のレーザー出力強度を調節させるためのレーザー出力調節ボタン１１８ｂと、前記レーザーパッチ１００の動作時間設定のためのタイマーボタン１１８ｃ等を含むことができる。ユーザは、前記のような制御ボタン１１８をセットして、前記レーザーパッチ１００の施術条件をセットさせることができる。
【００３６】
前記回路基板１２０は、前記パッチ胴体１１０の内部に配置され得る。前記回路基板１２０は、前記内蔵バッテリー１３０に比べて相対的に前記第１胴体１１２ａに隣接して対向して配置され得る。前記回路基板１２０は、少なくとも一つの印刷回路基板（Ｐｒｉｎｔｅｄ  Ｃｉｒｃｕｉｔ  Ｂｏａｒｄ）を含むことができる。
【００３７】
前記内蔵バッテリー１３０は、繰り返して充電が可能なバッテリーであり得る。前記内蔵バッテリー１３０は、前記充電器３０により充電され、内部電力として前記低出力レーザー素子１４０のレーザー照射のための電力を供給させることができる。前記内蔵バッテリー１３０は、爆発と発火の危険性を低減するために、リチウムポリマーバッテリーが使用できる。前記内蔵バッテリー１３０は、前記レーザーパッチ１００が別途の外部電力なしに、自体電力だけで動作が可能にすることができる。
【００３８】
前記低出力レーザー素子１４０は、前記透過ホール１１２ｃを介して外部に低出力レーザーを照射するように前記回路基板１２０上に設けられる。通常、低出力レーザー（Ｌｏｗ  Ｌｅｖｅｌ  Ｌａｓｅｒ、ＬＬＬ）は、痛みの緩和、血流改善、血流強化、細胞活性化、リンパ節刺激、浮腫緩和、および皮膚刺激などのような多様な効果を発揮すると知られており、このような効果は、特定の波長帯の低出力レーザーで発揮される。例えば、略６３０ｎｍ〜６８０ｎｍの波長帯で３０ｍＷ以上の出力にて２０分間以上人体に照射する場合、痛みの緩和、リンパ節刺激、浮腫緩和、細胞活性化などの効果が相対的に高くて、略７８０ｎｍ〜９９０ｎｍの波長帯で３０ｍＷ以上の出力にて２０分間以上人体に照射する場合、血流改善、血流強化、細胞活性化などの効果が相対的に高い。したがって、前記低出力レーザー素子１４０は、前記のような使用目的に応じて多様な波長帯の素子が使用できる。
【００３９】
ここで、前記のような低出力レーザー素子１４０は、レーザーの生成時、多くの熱を外部に放出させる。前記低出力レーザー素子１４０の発熱は、素子の寿命短縮と製品信頼性と安全性を低下させ、特に施術時に患者の火傷を発生させる原因となる恐れがある。これに伴い、前記低出力レーザー素子１４０の発熱を効果的に放出させることができる手段が必要である。このような手段として、別途の放熱板（図示せず）を低出力レーザー素子１４０の周辺に配置させることができるが、この場合、少なくとも回路基板１２０上に突出した程度に起因して、前記レーザーパッチ１００の厚さが増加するしかない。しかし、本発明によるレーザーパッチ１００は、ユーザ便宜性のために最大限薄い厚さを有することが良い。すなわち、前記レーザーパッチ１００の厚さが厚いほど、皮膚上で多く導出されて、皮膚密着時に異質感や不便感が大きくて、外観上も良くない。
【００４０】
前記のような部分を解決するために、本発明によるレーザーパッチ１００は、前記パッチ胴体１１０を熱伝導性が相対的に高い材質で構成して、前記低出力レーザー素子１４０の熱を外部に排出させるための放熱板または施術時に人体に熱を伝達させるための熱伝達板として使用できる。このために、前記パッチ胴体１１０は、全体がステンレススチール、アルミニウム、銅、その他の多様な金属材質からなるか、皮膚接触面は、生体適合性を満足するプラスチック材質からなり、その内側は、金属材質からなる異種材質の多層構造の胴体で構成することもできる。この場合、前記レーザーパッチ１００は、前記低出力レーザー素子１４０から発生する熱に起因して、前記パッチ胴体１１０の一部または全部が加熱され、前記パッチ胴体１１０の適切な熱を前記人体に伝達させることによりで、温熱治療を行うようにすることができる。すなわち、前記のようなレーザーパッチ１００は、基本的な低出力レーザー施術と共に、前記パッチ胴体１１０の自体熱による温熱治療を同時に行うように構成され得る。
【００４１】
前記感知器１５０は、前記レーザーパッチ１００の施術安全と適切な施術制御のために提供され得る。例えば、前記感知器１５０は、接触感知センサー１５２および温度感知センサー１５４を含むことができる。前記接触感知センサー１５２は、前記レーザーパッチ１００の使用時に前記レーザーパッチ１００の一面がユーザの皮膚に接触したか否かを感知することができる。このために、前記接触感知センサー１５２としては、圧力センサー、インピーダンスセンサー、磁気センサー、および静電容量センサーなどが使用できる。または前記接触感知センサー１５２としては、物理的または機械的な手段を介して前記皮膚接触可否を感知するセンサーであり得る。例えば、前記接触感知センサー１５２としては、通常、突出したピン（ｐｉｎ）で提供され、皮膚に密着すると、内部に挿入されて、接触可否を感知する物理的センサーが使用できる。
【００４２】
前記温度感知センサー１５４は、前記低出力レーザー素子１４０による発熱に起因して前記レーザーパッチ１００が加熱されて、施術時にユーザの火傷を防止するためのものであり得る。前述したように、本発明によるパッチ胴体１１０は、熱伝導率が相対的に高い材質からなり、前記低出力レーザー素子１４０の発熱を温熱治療の目的で使用するように構成され得る。ただし、この場合、前記レーザーパッチ１１０の過度な発熱による火傷が発生し得、これを防止するための安全技術が必要である。このために、前記温度感知センサー１５４は、前記パッチ胴体１１０に少なくとも一つ以上が設けられ、前記パッチ胴体１１０の温度を感知することができる。一例として、前記温度感知センサー１５４は、パッチ胴体１１０の第１胴体１１２に設けられ、施術時に人体に直接的に接触する第１胴体１１２の温度を感知するように設けられる。
【００４３】
前記制御器１７０は、前記感知器１５０から感知信号を伝達されて、前記レーザーパッチ１００を制御することができる。例えば、前記制御器１７０は、前記接触感知センサー１５２から接触感知信号を受信されて、施術時に前記パッチ胴体１１０が人体に接触する場合、前記低出力レーザー素子１４０をオン（ｏｎ）させ、前記パッチ胴体１１０が人体に非接触する場合、前記低出力レーザー素子１４０をオフ（ｏｆｆ）させることができる。また、前記制御器１６０は、前記温度感知センサー１５４から温度感知信号を受信されて、前記パッチ胴体１１０の温度が既定の温度を外れると、前記低出力レーザー素子１４０をオフ（ｏｆｆ）させ、前記パッチ胴体１１０の温度が既定の温度を満たす場合、前記低出力レーザー素子１４０をオン（ｏｎ）させることができる。ここで、前記既定の温度範囲は、適切な温熱治療のための温度範囲が好ましい。例えば、前記既定の温度範囲は、略４０℃〜５５℃であり得る。施術時に前記パッチ胴体１１０が略４０℃未満である場合、温熱治療効果は、極めて不十分となり得る。これに対し、施術時に前記前記パッチ胴体１１０が略５５℃を超過する場合、ユーザが火傷をすることがある。
【００４４】
続いて、前述したレーザーパッチ施術セットを利用する者が低出力レーザー施術方法について詳細に説明する。
【００４５】
図５は、本発明の一実施例による低出力レーザー施術方法を示すフローチャートである。図３〜図５を参照すると、まず、施術条件をセットおよび開始することができる（Ｓ１１０）。より具体的に、ユーザは、レーザーパッチ１００の制御ボタン１１８を操作して、前記レーザーパッチ１００の低出力レーザーの出力時間、強度調節、およびオン（Ｏｎ）動作の可否を設定することができる。このような施術条件セット値は、痛みの緩和、血流改善、血流強化、皮膚再生、細胞活性化、脂肪分解、および細胞刺激などの使用目的別に異なっていてもよい。
【００４６】
一例として、使用目的が痛みの緩和である場合、レーザー出力調節ボタン１１８ｂを操作して前記低出力レーザーの出力を４０ｍＷにセットし、タイマーボタン１１８ｃを操作して３０分にセットした後、オン／オフボタン１１８ａを操作して前記条件としてオン（Ｏｎ）動作させることができる。また、前記レーザーパッチ１００を施術対象皮膚組織に合致するパッチバンド２０を選択して固定させた後、施術部位に付着させることができる。
【００４７】
前記レーザーパッチ１００を施術部位に付着させると、前記レーザーパッチ１００が人体に正常接触したか否かを判断することができる（Ｓ１２０）。より具体的に、制御器１６０は、感知器１５０の接触感知センサー１５２から接触感知信号を伝達されて、前記レーザーパッチ１００の第１胴体１１２ａの一面が施術部位に正常に付着したか否かを判断することができる。この際、前記パッチ胴体１１０が施術部位に対して正常接触した場合であると判断した場合、前記制御器１６０は、前記回路基板１２０を制御して前記内蔵バッテリー１４０の自体電力として前記低出力レーザー素子１４０の低出力レーザー照射が始まることができる（Ｓ１３０）。これに対し、前記パッチ胴体１１０が施術部位に対して非接触した場合であると判断した場合、前記制御器１６０は、前記低出力レーザー素子１４０の低出力レーザー照射を待機させることができる（Ｓ１４０）。
【００４８】
すなわち、前記低出力レーザー素子１４０の低出力レーザー照射は、前記レーザーパッチ１００が施術部位に正常に接触した場合にのみ照射され、そうではない場合には、常にオフ（Ｏｆｆ）状態で待機することができる。これに伴い、前記のようなレーザーパッチ１００は、正常に施術部位に接触した場合にのみ、低出力レーザーが照射されるようにすることにより、ユーザの不注意に起因して低出力レーザーが目に照射されるなどの安全事故を防止することができる。
【００４９】
また、前記低出力レーザーの照射が行われると、レーザーパッチ１００の温度が既定の温度範囲を満たすか否かを判断することができる（Ｓ１５０）。より具体的に、前記制御器１６０は、感知器１５０の温度感知センサー１５４から温度感知信号を伝達されて、前記レーザーパッチ１００のパッチ胴体１１２の温度が既定の温度範囲を満たすか否かを判断することができる。この際、前記パッチ胴体１１０の温度が前記既定の温度範囲を満たす場合、前記制御器１６０は、前記低出力レーザー素子１４０の低出力レーザー照射が続くようにすることができる（Ｓ１６０）。これに対し、前記パッチ胴体１１０の温度が前記既定の温度範囲を外れる場合、前記制御器１６０は、前記回路基板１２０を制御して前記低出力レーザー素子１４０のレーザー照射を中断させることができる（Ｓ１７０）。
【００５０】
すなわち、前述したように、本発明の実施例によるレーザーパッチ１００は、前記低出力レーザー素子１４０の発熱を温熱治療のための熱として使用するので、前記パッチ胴体１１０の温度が過度に上昇すると、火傷などの問題が発生し得る。これに伴い、前記のようなレーザーパッチ１００は、正常な温度範囲を超過しない場合にのみ、低出力レーザーが照射されるようにすることにより、施術の安全性を高めることができる。
【００５１】
前記のようなレーザー施術が進行される過程で、既定の施術時間に到達したか否かを判断することができる（Ｓ１８０）。例えば、前述した段階（Ｓ１１０）でセットした３０分に到達しない場合、制御器１６０は、さらに段階（Ｓ１２０）の以前に戻って前述した段階（Ｓ１２０〜Ｓ１７０）を繰り返して行うようにすることができる。これに対し、先立って段階（Ｓ１１０）で設定した３０分に到達した場合、前記低出力レーザー素子１４０をオフ（ｏｆｆ）させた後、これをユーザが認知することができるようにアラームまたは動作ランプ１５０のオフ（ｏｆｆ）等のような外部表示を行うことができる。
【００５２】
前述したように、本発明の実施例によるレーザーパッチ施術セット１０は、低出力レーザーを照射するレーザーパッチ１００およびこれを施術部位に固定させることができるパッチバンド２０を具備し、前記レーザーパッチ１００の各々は、相対的に小さい直径を有し、薄い板形状で提供され得る。この場合、ユーザは、前記レーザーパッチ１００を痛み部位、血液アパチャー（ｂｌｏｏｄ  ａｐｅｒｔｕｒｅ）、リンパ節（ｌｙｍｐｈａｔｉｃ  ｇｌａｎｄ）等のような局所部位に組み合わせて選択配置させることにより、痛みの緩和、血流改善、血流強化、リンパ節刺激、浮腫緩和、および皮膚刺激などのような多様な自家施術を行うことができる。これに伴い、本発明によるレーザーパッチおよびこれを具備するレーザーパッチ施術セットは、局所部位に施術可能に相対的に小さいサイズの板状レーザーパッチで構成して、ユーザが必要な施術の種類と所望の局所部位に合致するようにパッチを組み合わせて使用できる。
【００５３】
また、本発明の実施例によるレーザーパッチおよびこれを具備するレーザーパッチ施術セットは、従来の湿布剤や鎮痛パッチに比べて、皮膚発疹、アレルギー発生、火傷などのような皮膚トラブルなどのような接着剤と湿布剤に起因して発生する問題なく、痛みの緩和、血流改善、血流強化、皮膚再生、細胞活性化、脂肪分解、および細胞刺激などの施術を行うことができる。
【００５４】
また、本発明によるレーザーパッチおよびこれを具備するレーザーパッチ施術セットは、従来の湿布剤や鎮痛パッチに比べて、ユーザが長時間追加費用の負担なく同じ効果にて自家施術を受けることができ、資源の浪費を防止して、環境にやさしい。
【００５５】
続いて、前述した本発明の変形例によるレーザーパッチについて説明する。ここで、前述した本発明の一実施例によるレーザーパッチ１００と重複する内容は、省略したり簡素化することができる。
【００５６】
図６は、本発明の一変形例によるレーザーパッチを示す図である。図６を参照すると、本発明の一変形例によるレーザーパッチ１００ａは、パッチ胴体１１０、回路基板１２０、内蔵バッテリー１３０、低出力レーザー素子１４０ａ、感知器１５０、および制御器１６０を具備し、前記低出力レーザー素子１４０ａは、互いに異なるレーザー波長値を有する第１素子１４２ａおよび第２素子１４４ａを含むことができる。一例として、前記第１素子１４２ａは、略６３０ｎｍ〜６８０ｎｍの波長範囲を有し、略８０ｍＷ以下の出力強度を有する低出力レーザー素子を含むことができる。このような第１素子１４２ａは、痛みの緩和、リンパ節刺激、浮腫緩和、細胞活性化などの使用目的のために使用できる。これに対し、前記第２素子１４４ａは、略７８０ｎｍ〜９９０ｎｍの波長範囲を有し、略８０ｍＷ以下の出力強度を有する低出力レーザー素子を含むことができる。このような第２素子１４２ａは、血流改善、血流強化、細胞活性化などの使用目的のために使用できる。
【００５７】
前記第１および第２素子１４２ａ、１４４ａの個数と配置は、多様に変更または変形され得る。ユーザは、制御ボタン１１８を操作して前記第１および第２素子１４２ａ、１４４ａの選択と制御を行うことができる。例えば、痛みの緩和の使用目的として前記レーザーパッチ１００ａを使用する場合、ユーザは、前記第１素子１４２ａのみをオン（Ｏｎ）動作するように前記制御ボタン１１８をセットさせた後に使用できる。または、血流改善の使用目的として前記レーザーパッチ１００ａを使用する場合、ユーザは、前記第２素子１４４ａのみをオン（Ｏｎ）動作するように前記制御ボタン１１８をセットさせた後に使用できる。もし、痛みの緩和と血流改善の二つの目的を同時に使用しようとする場合、ユーザは、前記第１および第２素子１４２ａ、１４４ａを全部オン（Ｏｎ）動作させた後に使用できる。
【００５８】
前記のような構造のレーザーパッチ１００ａは、一つのレーザーパッチ１００ａにて異種波長のレーザーを照射させることができるので、本発明の一実施例によるレーザーパッチ１００に比べて、単一レーザーパッチ１００ａにて二種類の波長帯のレーザー施術を行うことができる。
【００５９】
図７は、本発明の他の変形例によるレーザーパッチを示す図である。図７を参照すると、本発明の他の変形例によるレーザーパッチ１００ｂは、パッチ胴体１１０、回路基板１２０、内蔵バッテリー１３０、低出力レーザー素子１４０ａ、感知器１５０、制御器１６０、および振動子１７０を含むことができる。前記振動子１７０は、施術時に施術部位に対して微細振動を伝達させることにより、血流改善などの使用目的をさらに付加させるために提供されるものであってもよい。前記振動子１７０としては、超音波振動子、電磁石モーター振動子などが使用できる。
【００６０】
前記のような構造のレーザーパッチ１００ｂは、一つのレーザーパッチ１００ｂにて低出力レーザー施術と微細振動のための振動施術を同時にまたは別途に行うことができる。
【００６１】
以下、本発明の他の実施例によるレーザーパッチおよびこれを具備するレーザーパッチ施術セットについて、添付の図面を参照して具体的に説明する。ここで、前述したレーザーパッチ１００、１００ａ、１００ｂと重複する内容は、省略したり簡素化することができる。
【００６２】
図８は、本発明の他の実施例によるレーザーパッチ施術セットを示す図であり、図９は、本発明の他の実施例によるレーザーパッチ施術セットのパッチバンドを示す図である。
【００６３】
図８および図９を参照すると、本発明の他の実施例によるレーザーパッチ施術セット（１２）は、パッチバンド２２、充電器３０、ユーザ端末４０、ウェブサーバー５０、ウェブクライアント６０、レーザーパッチ２００、およびこれらの構成品を収納および保管するための包装ボックス（図示せず）等を含むことができる。
【００６４】
前記レーザーパッチ２００は、低出力レーザー（Ｌｏｗ  Ｌｅｖｅｌ  Ｌａｓｅｒ、ＬＬＬ）を皮膚に照射させる機器であって、相対的に小さくて且つ薄い板（ｐｌａｔｅ）形状を有し得る。ユーザは、複数のレーザーパッチ２００を多様に組み合わせて、鍼および灸治療のような漢方施術を自家施術することができる。
【００６５】
前記パッチバンド２２は、前記レーザーパッチ２００をユーザの所望の皮膚部位に固定させるためのものであり得る。図９に示されたように、本発明の他の実施例によるパッチバンド２２は、レーザーパッチ２００の一面に付着する接着式バンドで提供され得る。このために、前記パッチバンド２２は、皮膚と接触する一面が人体に無害な粘着物質が塗布された形態で提供され、前記一面の他面は、前記レーザーパッチ２００のレーザー照射面に付着する形態で提供され得る。前記パッチバンド２２には、前記レーザーパッチ２００から照射されるレーザーの照射経路を妨害しないように、複数のホールが形成され得る。ユーザは、施術時に前記パッチバンド２２は前記レーザーパッチ２００それぞれに付着させた後、所望の皮膚組織に密着させて使用できる。
【００６６】
前記充電器３０は、前記レーザーパッチ１００を充電させるためのものであり得る。前記充電器３０は、複数のレーザーパッチ１０を同時充電させることができるように、前記充電器３０とは別途のまたは一体の充電ジェンダー３２を含むことができる。
【００６７】
前記ユーザ端末４０は、ユーザが前記レーザーパッチ２００の使用方法、使用履歴などを確認および制御するためのアプリケーションを搭載した機器であり得る。前記ユーザ端末４０としては、多様な携帯端末機（スマートフォン、タブレットパソコン）を含むことができる。前記ユーザ端末４０は、ブルートゥース（Ｂｌｕｅｔｏｏｔｈ、登録商標）、ジグビー（ＺｉｇＢｅｅ、登録商標）、ＲＦ等を介して前記レーザーパッチ２００と無線通信することができる。または、前記ユーザ端末４０は、前記レーザーパッチ２００とＵＳＢ連結部等を介して有線通信することもできる。前記アプリケーションは、ユーザに低出力レーザー施術に対する多様な情報を表示し、ユーザは、情報を基礎として前記レーザーパッチ２００が使用できる。
【００６８】
前記ウェブサーバー５０は、基本的な鍼および灸治療のような漢方治療に対する治療情報データを有するデータベースを有し、これを確認および管理することができる。また、ユーザが前記ユーザ端末４０を介して入力した基本情報を把握し、既定の条件と算出プログラムを介して、前記データベース内でユーザに適合した施術情報とレーザーパッチ２００の使用方法を前記ユーザ端末４０を介して案内することができる。
【００６９】
前記ウェブクライアント６０は、前記ユーザ端末４０およびウェブサーバー５０から多様な施術情報、レーザーパッチ２００の使用履歴とデータを提供され得る。
【００７０】
続いて、本発明の他の実施例によるレーザーパッチについて詳細に説明する。ここで、前述した多様な形態のレーザーパッチ１００、１００ａ、１００ｂと重複する内容は、省略したり簡素化することができる。
【００７１】
図１０は、本発明の他の実施例によるレーザーパッチを示す斜視図であり、図１１は、図１０に示されたレーザーパッチの他方の方向から見た斜視図である。
【００７２】
図１０および図１１を参照すると、本発明の他の実施例によるレーザーパッチ２００は、パッチ胴体２１０、回路基板（図示せず）、内蔵バッテリー（図示せず）、レーザー素子２４０、感知器２５０、および制御器（図示せず）を含み、前記回路基板、内蔵バッテリーおよび制御器などは、前述したレーザーパッチ１００、１００ａ、１００ｂの構成と同一または同様であり得る。
【００７３】
前記パッチ胴体２１０は、相互に組み立てられて薄い板状胴体２１２を完成させる第１胴体２１２ａと第２胴体２１２ｂを有し得る。前記第１胴体２１２ａは、施術時に人体に密着する一面を有し、前記第２胴体２１２ｂは、施術時に露出する他面を有し得る。前記パッチ胴体２１０には、前記内蔵バッテリーを充電させるために前記充電器３０を連結させるための充電部２１６が提供され得る。前記充電部２１６は、充電端子２１６ａおよび充電完了の可否やバッテリー残量を認知させるための第１充電ランプ２１６ｂおよび第２充電ランプ２１６ｃを具備することができる。
【００７４】
前記パッチ胴体２１０には、前記レーザーパッチ２００の施術条件をセットさせるためのレーザー制御ボタン２１８を具備することができる。例えば、前記レーザー制御ボタン２１８は、前記低出力レーザー素子２４０のオン／オフのためのオン／オフボタン１１８ａ、前記低出力レーザー素子２４０のレーザー出力強度を調節させるためのレーザー出力調節ボタン２１８ｂ、および前記レーザーパッチ２００の動作時間の設定のためのタイマーボタン２１８ｃ等を含むことができる。また、前記パッチ胴体２１０には、前記レーザーパッチ２００の内部に設けられた振動子（図示せず）をセットおよび動作させるための振動子制御ボタン２１９がさらに設けられる。例えば、前記振動子制御ボタン２１９は、振動子のオン／オフまたは振動モード選択などのためのオン／オフボタン２１９ａ、前記振動子の強さを増加させるための増加ボタン２１９ｂおよび前記振動子の強さを減少させるための減少ボタン２１９ｃを含むことができる。ユーザは、前記のような制御ボタン２１８、２１９をセットして、前記レーザーパッチ２００の施術条件をセットさせることができる。
【００７５】
前記低出力レーザー素子２４０は、互いに異なるレーザー波長値を有する第１素子２４２および第２素子２４４を含むことができる。一例として、前記第１素子２４２は、略６３０ｎｍ〜６８０ｎｍの波長範囲を有し、略８０ｍＷ以下の出力強度を有する低出力レーザー素子を含むことができる。このような第１素子２４２は、痛みの緩和、リンパ節刺激、浮腫緩和、細胞活性化などの使用目的のために使用できる。これに対し、前記第２素子２４４は、略７８０ｎｍ〜９９０ｎｍの波長範囲を有し、略８０ｍＷ以下の出力強度を有する低出力レーザー素子を含むことができる。このような第２素子２４２は、血流改善、血流強化、細胞活性化などの使用目的のために使用できる。
【００７６】
前記第１および第２素子２４２、２４４の個数と配置は、多様に変更または変形され得る。例えば、前記第２素子２４４は、少なくとも一つが前記パッチ胴体２１０の一面の中央領域に配置され、前記第１素子２４２は、複数個が前記パッチ胴体２１０の一面の周辺領域に配置され得る。前記のような構造の低出力レーザー素子２４０は、施術時に前記第２素子２４４がユーザの血管上に位置して、特定の血管内血流の流れを促進または改善させ、残りの第１素子２４２は、相対的に広い領域に低出力レーザーを照射させて痛みを緩和させることができる。
【００７７】
前記感知器２５０は、前記レーザーパッチ２００の施術安全と適切な施術制御のために提供され得る。例えば、前記感知器２５０は、接触感知センサー２５２および温度感知センサー２５４を含むことができる。前記接触感知センサー２５２は、前記レーザーパッチ１００の使用時に前記レーザーパッチ１００の一面がユーザの皮膚に接触したか否かを感知し、前記温度感知センサー１５４は、前記低出力レーザー素子１４０による発熱に起因して前記レーザーパッチ１００が加熱されて、施術時にユーザの火傷を防止するためのものであり得る。
【００７８】
前記制御器は、前記感知器２５０から感知信号を伝達されて、前記レーザーパッチ２００を制御することができる。例えば、前記制御器２７０は、前記接触感知センサー２５２から接触感知信号を受信されて、施術時に前記パッチ胴体２１０が人体に接触する場合、前記低出力レーザー素子２４０をオン（Ｏｎ）させ、前記パッチ胴体２１０が人体に非接触する場合、前記低出力レーザー素子２４０をオフ（ｏｆｆ）させることができる。また、前記制御器は、前記温度感知センサー２５４から温度感知信号を受信されて、前記パッチ胴体２１０の温度が既定の温度を外れると、前記低出力レーザー素子２４０をオフ（ｏｆｆ）させ、前記パッチ胴体２１０の温度が既定の温度を満たすと、前記低出力レーザー素子２４０をオン（Ｏｎ）させることができる。
【００７９】
続いて、前述した本発明の他の実施例によるレーザーパッチを利用した低出力レーザー施術過程について詳細に説明する。ここで、前述した多様な実施例によるレーザーパッチらと重複する内容は、省略したり簡素化することができる。
【００８０】
図１２は、本発明の他の実施例によるレーザーパッチを利用したレーザー施術方法を示すフローチャートである。図８〜図１２を参照すると、まず、ユーザ端末４０のアプリケーションを利用してユーザ基本情報を入力することができる（Ｓ２１０）。例えば、ユーザは、ユーザ端末４０を介して関連アプリケーションをダウンロードされて、ユーザ基本事項、例えば性別、年齢、体重、および治療希望疾患などを入力することができる。
【００８１】
これに伴い、ユーザ基本情報の入力後、ユーザは、希望する施術を選択することができる（Ｓ２２０）。より具体的に、ユーザは、前記アプリケーションを介して治療しようとする施術項目と位置を入力することができる。一例として、ユーザは、大分類になっている痛みの治療または血流改善のうち痛みの治療を入力すると、中分類項目である腕、足、肩、首、腰などのような治療部位が示され、このうち肩を入力すると、右側と左側、その他の具体的な痛い部位などが示される。ユーザは、このような細部分類を通じて治療を希望する施術と最も適合した施術項目を探して入力することができる。
【００８２】
適合した施術情報データを含むレーザーパッチの使用情報によって施術を進めることができる（Ｓ２３０）。より具体的に、ユーザの所望の施術を選択すると、基本的に保存されたデータベース内情報のうちから適合した施術情報データをウェブサーバー５０がユーザ端末４０に伝送することができる。ユーザは、前記ユーザ端末４０を介して示すレーザーパッチ２００の使用方法や手続によって前記レーザーパッチ２００を治療しようとする部位に順に付着させて施術を行うことができる。
【００８３】
特に、前記施術情報データは、前記ユーザの事前入力情報に基づいて選択された施術ガイドを用いて前記レーザーパッチについて施術順序および位置を設定し、ユーザが設定された施術順序と位置に合致するように順次にレーザーパッチをユーザの設定位置に位置するようにする痛みの緩和、血流改善、細胞活性化、細胞再生、リンパ節刺激、および浮腫緩和のうち少なくとも一つの使用目的を有する施術ガイドを含むことができる。これに伴い、前記ユーザは、前記レーザーパッチ２００を順次に特定の位置に付着させながら、漢方鍼または灸治療手続にて施術を行うことができ、一般人も容易に専門的な漢方治療を自家治療することができる。
【００８４】
前述した施術過程で、施術者が案内した使用情報に合致するようにレーザーパッチを使用したか否かを判断することができる（Ｓ２４０）。例えば、制御器（図示せず）は、ユーザが前記レーザーパッチ２００を人体に付着した時、感知器２５０から接触可否などを基礎として、ユーザがユーザ端末４０を介して案内された施術手続に合致するように施術したか否かを判断することができる。もし、ユーザが案内された施術手続に合致するようにレーザーパッチ２００を使用して施術する場合、正常な使用であると判断して、正常な施術を進めることができる（Ｓ２６０）。ここで、正常な施術は、先立って図５を参照して説明した低出力レーザー施術を含むことができる。これに対し、ユーザが案内された施術手続に合致するようにレーザーパッチ２００を使用して施術をしない場合、ユーザにこれを案内した後、適合した施術を行うことができるように使用情報を再案内することができる（Ｓ２５０）。
【００８５】
前述したように、本発明の他の実施例によるレーザーパッチ２００およびこれを具備するレーザーパッチ施術セット１２は、低出力レーザー施術を行うレーザーパッチ２００と、前記レーザーパッチ２００と通信し、前記レーザーパッチ２００の使用方法と手続を案内するアプリケーションが搭載されたユーザ端末４０と、前記ユーザ端末４０と連結されたウェブサーバー５０とを具備して、一般人ユーザが前記アプリケーションを使用して所望の施術の案内を受けながら、前記レーザーパッチ２００を利用した漢方治療を自家治療することができる。これに伴い、本発明の実施例によるレーザーパッチおよびこれを具備するレーザーパッチ施術セットは、レーザーパッチのユーザに正確な漢方治療である鍼または灸施術を案内するアプリケーションが搭載されたユーザ端末と連携するように構成して、漢方治療に関する知識がないかまたは足りない一般ユーザも、漢方施術を簡便且つ正確に自家施術することができるようにするレーザーパッチおよびこれを具備するレーザーパッチ施術セットを提供することができる。
【００８６】
以上、本発明によるレーザーパッチおよびこれを具備するレーザーパッチ施術セットに関する具体的な実施例について説明したが、本発明の範囲を逸脱しない限度内では、様々な実施変形が可能であることは自明である。したがって、本発明の範囲には、説明された実施例に限定されて定められるべきものではなく、後述する特許請求範囲だけでなく、この特許請求範囲と均等なものにより定められなければならない。前述した実施例は、すべての面において例示的なものであり、限定的なものではないものと理解されなければならず、本発明の範囲は、詳細な説明よりは後述する特許請求範囲によって示され、その特許請求範囲の意味および範囲そしてその等価概念から導き出されるすべての変更または変形された形態が本発明の範囲に含まれるものと解釈されなければならない。
【符号の説明】
【００８７】
１０  レーザーパッチ施術セット
２０  パッチバンド
３０  充電器
４０  携帯用端末
５０  ウェブサーバー
６０  ウェブクライアント
１００  レーザーパッチ
１１０  パッチ胴体
１１２  板状胴体
１１３  レンズ
１１５  動作ランプ
１１６  充電部
１１８  制御ボタン
１２０  回路基板
１３０  内蔵バッテリー
１４０  低出力レーザー素子
１５０  感知器
１５２  接触感知センサー
１５４  温度感知センサー
１６０  制御器
【図１】
2019504692.tif 000003
【図２（ａ）】
2019504692.tif 000004
【図２（ｂ）】
2019504692.tif 000005
【図２（ｃ）】
2019504692.tif 000006
【図３】
2019504692.tif 000007
【図４】
2019504692.tif 000008
【図５】
2019504692.tif 000009
【図６】
2019504692.tif 000010
【図７】
2019504692.tif 000011
【図８】
2019504692.tif 000012
【図９】
2019504692.tif 000013
【図１０】
2019504692.tif 000014
【図１１】
2019504692.tif 000015
【図１２】
2019504692.tif 000016
【国際調査報告】
2019504692.tif 000017
2019504692.tif 000018
2019504692.tif 000019
2019504692.tif 000020